(57)【要約】【解決手段】  上着の前身頃である肩の一部分から後身頃である肩部Ｂより背中Ｃに至る部分にわたって縫着される芯地であって、上着Ｊを着用したとき後身頃である肩部Ｂより背面肩甲骨が位置する付近に相当する部位を、左右方向につまむためのつまみ分量を有するように、あるいは、左右方向から重ね合わせるための重ね分量を有するように裁断する。この芯地を上着Ｊの前身頃である肩の一部分から後身頃である肩部Ｂより背中Ｃに至る部分にわたって配置する。そして、前記芯地の襟グリ側は上着Ｊの襟ミツ側Ｄに、袖グリ側は上着ＪのアームホールＥ側にそれぞれ縫い付ける。【効果】  少なくとも上着Ｊの後身頃である肩部Ｂより背中Ｃに至る表生地に余裕を生じ、肩先への引っ張りが緩和されるので、表生地が肩の前部の方に移動せしめられる。従って、着用時背中の形にぴったりとフィットし、従来の場合のようにその部分が引っ張られることがない。【選択図】  図１２
2005002544.tif 000002
【特許請求の範囲】
【請求項１】
上着の前身頃である肩の一部分Ａから後身頃である肩部Ｂより背中Ｃに至る部分にわたって縫着される芯地であって、襟グリ側は上着の襟ミツ側に、袖グリ側は上着のアームホール側にそれぞれ縫い付け得るように裁断されていることを特徴とする上着用作り芯地。
【請求項２】
上着の前身頃である肩の一部分Ａから後身頃である肩部Ｂより背中Ｃに至る部分にわたって縫着される芯地であって、上着を着用したとき後身頃側の肩部Ｂより背面肩甲骨が位置する付近ｂに相当する部位を、左右方向につまむためのつまみ分量を有するように裁断されていることを特徴とする上着用作り芯地。
【請求項３】
上着の前身頃である肩の一部分Ａから後身頃である肩部Ｂより背中Ｃに至る部分にわたって縫着される芯地であって、上着を着用したとき後身頃側の肩部Ｂより背面肩甲骨が位置する付近ｂに相当する部位を、左右いずれかの方向から重ね合わせるための重ね分量を有するように裁断されていることを特徴とする上着用作り芯地。
【請求項４】
上着の前身頃である肩の一部分Ａから後身頃である肩部Ｂより背中Ｃに至る部分にわたって縫着される芯地であって、上着を着用したとき前身頃側の前面肩甲骨が位置する付近ａに相当する部位と後身頃側の肩部Ｂより背面肩甲骨が位置する付近ｂに相当する部位とを、左右方向にそれぞれをつまむためのつまみ分量をそれぞれ有するように裁断されていることを特徴とする上着用作り芯地。
【請求項５】
上着の前身頃である肩の一部分Ａから後身頃である肩部Ｂより背中Ｃに至る部分にわたって縫着される芯地であって、上着を着用したとき前身頃側の前面肩甲骨が位置する付近ａに相当する部位と後身頃側の肩部Ｂより背面肩甲骨が位置する付近ｂに相当する部位とを、左右いずれかの方向からそれぞれを重ね合わせるための重ね分量をそれぞれ有するように裁断されていることを特徴とする上着用作り芯地。
【請求項６】
請求項１記載の芯地を上着の前身頃である肩の一部分Ａから後身頃である肩部Ｂより背中Ｃに至る部分にわたって配置し、芯地の襟グリ側は上着の襟ミツ側に、また、芯地の袖グリ側は上着のアームホール側に縫い付けたことを特徴とする上着。
【請求項７】
請求項２又は４記載の芯地を上着の前身頃である肩の一部分Ａから後身頃である肩部Ｂより背中Ｃに至る部分にわたって配置し、前記芯地をつまみ分量だけ左右方向につまんで縫着し、芯地の襟グリ側は上着の襟ミツ側に、また、芯地の袖グリ側は上着のアームホール側に縫い付けたことを特徴とする上着。
【請求項８】
請求項３又は５記載の芯地を上着の前身頃である肩の一部分Ａから後身頃である肩部Ｂより背中Ｃに至る部分にわたって配置し、前記芯地を重ね分量だけ左右いずれかの方向から重ね合わせて縫着し、芯地の襟グリ側は上着の襟ミツ側に、また、芯地の袖グリ側は上着のアームホール側に縫い付けたことを特徴とする上着。
【発明の詳細な説明】
【技術分野】
【０００１】
本発明は、上着の前身頃である肩の一部分Ａから後身頃である肩部Ｂより背中Ｃに至る部分にわたって縫着される芯地ならびにその芯地を縫着した上着に関するものである。
【背景技術】
【０００２】
背広、ジャケットその他各種の上着を着用した時は、通常、肩と背中の一部で上着を受け止めているが、特に、前身頃側の前面肩甲骨の部分に負担がかかり、前かがみになったり手を前方に動かすと、後身頃を図１６の矢印方向に引っ張る形になり、つっぱって着心地が良くない。それをできるだけ無くすために、従来、前身頃の芯地で前肩処理がなされてきた。また、後身頃側は後身頃の肩の縫線の部分のイセ作業のみで行われてきた。この前肩処理とは、図１６の2'で示すように前身頃の芯地1L'，1R'の肩部の一部を切り開いて肩先部分を浮かせる処理のことであり、従来から普通に行われているところである（例えば、非特許文献１参照）。
【０００３】
【非特許文献１】杉山静枝著，「紳士服裁断・補正全書」，新改訂版，株式会社洋装社，１９６５年４月１日，Ｐ．８５
【発明の開示】
【発明が解決しようとする課題】
【０００４】
しかしながら、この前肩処理をしても充分な成果を得ることは難しく、また、前肩処理をするには、前身頃のくせ取りや後身頃の肩の縫線の部分のイセ込みなど極めて高度な技術を要するので、熟練工でも完璧なものは難しく、しばしば肩線3'部分にねじれたような波状のしわができる。
本発明は、このような極めて高度な技術を要することなく、また、従来の場合には全く考え付かなかった部分に芯地を配置することにより、すなわち、上着の前身頃である肩の一部分Ａから後身頃である肩部Ｂより背中Ｃに至る部分にわたって芯地を配置することにより、前身頃である肩の一部分Ａから後身頃である肩部Ｂより背中Ｃに至る部分がその形にぴったり合うように工夫して従来の欠点を解消し得るようにしたものである。
【０００５】
また、従来の場合のように、前身頃の芯地1L'，1R'の肩部の一部を切り開くのではなく、逆に、上着を着用したとき後身頃側の肩部Ｂより背面肩甲骨が位置する付近ｂに相当する部位に、ダーツを入れることによって、あるいは、上着を着用したとき前身頃側の前面肩甲骨が位置する付近ａに相当する部位と後身頃側の肩部Ｂより背面肩甲骨が位置する付近ｂに相当する部位とに、ダーツを入れることによって、従来のような前肩処理をしなくても、換言すると、前身頃のための芯地に前肩にするための細工をしなくても、前身頃である肩の一部分Ａから後身頃である肩部Ｂより背中Ｃに至る部分がその形にぴったり合うように工夫して従来の欠点を解消し得るようにしたものである。
【課題を解決するための手段】
【０００６】
本発明の芯地は、上着Ｊの前身頃である肩の一部分Ａから後身頃である肩部Ｂより背中Ｃに至る部分にわたって縫着されるものであって、上着Ｊの前身頃である肩の一部分Ａから後身頃である肩部Ｂより背中Ｃに至る部分にわたって芯地を縫着することはいまだかって無かった新規な考えである。そして、上記目的を達成するために、本発明では、上着の前身頃である肩の一部分Ａから後身頃である肩部Ｂより背中Ｃに至る部分にわたって縫着される芯地であって、襟グリ側は上着の襟ミツ側に、袖グリ側は上着のアームホール側にそれぞれ縫い付け得るように裁断してある。
襟グリ側を上着の襟ミツ側に、袖グリ側を上着のアームホール側にそれぞれ縫い付け得るようにするには、例えば、図１に示すように、芯地の襟グリ側を上着の襟ミツと上着の表生地の背中央付き合わせ部分の縁とに沿わせ得るように裁断するとともに、芯地の袖グリ側を上着のアームホールに添わせ得るように裁断するとよい。
【０００７】
この芯地は、上着Ｊの前身頃である肩の一部分Ａから後身頃である肩部Ｂより背中Ｃに至る部分にわたって配置することができる。そして、前記芯地の襟グリ側は上着の襟ミツ側に、また、袖グリ側は上着のアームホール側に縫い付けられる。
このようにすることによって、少なくとも上着Ｊの後身頃側の肩部Ｂより背中Ｃに至る表生地に余裕を生じ、肩先への引っ張りが緩和されるので、図１２〜図１５の矢印で示すように表生地が肩の前部の方に移動せしめられることになる。従って、着用時背中の形にぴったりとフィットし、その部分が引っ張られることのない上着とすることができる。また、肩のラインがくびれず、綺麗になる。しかも、肩先のみならず、襟元、首元に至るまでの肩全体をその形にぴったり合った形状に保持・記憶できる。さらに、従来の場合のように、極めて高度な技術を必要としないので、コストの面でも極めて有利である。
【０００８】
また、上着の前身頃である肩の一部分Ａから後身頃である肩部Ｂより背中Ｃに至る部分にわたって縫着される芯地であって、上着を着用したとき後身頃側の肩部Ｂより背面肩甲骨が位置する付近ｂに相当する部位を、左右方向につまむためのつまみ分量を有するように裁断された芯地を用いることによって、上記目的を達成することができる。
【０００９】
この芯地は、上着Ｊの前身頃である肩の一部分Ａから後身頃である肩部Ｂより背中Ｃに至る部分にわたって配置することができ、前記つまみ分量だけ左右方向につまんで縫着することができる。左右方向にそれぞれの芯地1L，1Rをつまんだ部分を、図２(b)において 図面符号5'で、図３(b)において図面符号6'で示す。そして、芯地の襟グリ側は上着Ｊの襟ミツ側に、また、芯地の袖グリ側は上着Ｊのアームホール側に縫い付けられる。
このような縫製方法を採ることにより、上着Ｊの後身頃側の肩部Ｂより背面肩甲骨が位置する付近ｂに相当する部位に、上着Ｊの後身頃側の肩部Ｂより背中Ｃに至る表生地が後身頃に余裕を生じ、肩先への引っ張りが緩和されるので、図１２，図１３の矢印で示すように表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００１０】
さらに、上着の前身頃である肩の一部分Ａから後身頃である肩部Ｂより背中Ｃに至る部分にわたって縫着される芯地であって、上着を着用したとき後身頃側の肩部Ｂより背面肩甲骨が位置する付近ｂに相当する部位を、左右いずれかの方向から重ね合わせるための重ね分量を有するように裁断された芯地とすることによっても、上記目的を達成することができる。
【００１１】
この芯地も、上着Ｊの前身頃である肩の一部分Ａから後身頃である肩部Ｂより背中Ｃに至る部分にわたって配置することができ、前記重ね分量だけ左右いずれかの方向から重ね合わせて縫着することができる。左右方向から芯地1L，1Rを重ね合わせた部分を、図４(b)において図面符号7'で、図５(b)において図面符号8'で示す。そして、芯地の襟グリ側は上着Ｊの襟ミツ側に、また、芯地の袖グリ側は上着Ｊのアームホール側に縫い付けられる。
このような縫製方法を採ることにより、上着Ｊの後身頃側の肩部Ｂより背面肩甲骨が位置する付近ｂに相当する部位に、上着Ｊの後身頃側の肩部Ｂより背中Ｃに至る表生地が後身頃に余裕を生じ、肩先への引っ張りが緩和されるので、図１２、図１３の矢印で示すように表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００１２】
図２，図３では、上着を着用したとき後身頃側の肩部Ｂより背面肩甲骨が位置する付近ｂに相当する部位を、左右方向につまむためのつまみ分量を有するように裁断された芯地を用いた場合を示したが、この部位だけでなく、上着Ｊを着用したとき前身頃側の前面肩甲骨が位置する付近ａに相当する部位にも、左右方向につまむためのつまみ分量を有するようにしても、本発明の目的を達成することができる。
すなわち、この場合の芯地は、図６〜図８に示すように、上着Ｊを着用したとき前身頃側の前面肩甲骨が位置する付近ａに相当する部位と後身頃側の肩部Ｂより背面肩甲骨が位置する付近ｂに相当する部位とを、左右方向にそれぞれをつまむためのつまみ分量をそれぞれ有するように裁断してある。
【００１３】
この芯地は、上着Ｊの前身頃である肩の一部分Ａから後身頃である肩部Ｂより背中Ｃに至る部分にわたって配置することができる。そして、前記つまみ分量だけ左右方向にそれぞれをつまんで縫着することができる。左右方向にそれぞれの芯地1L，1Rをつまんだ部分を、図６(b)において 図面符号9'，10'で、図７(b)において図面符号11'，12'で、図８(b)において図面符号13'，14'で示す。
このような縫製方法を採ることにより、上着Ｊの前身頃側において前記ａ付近の表生地を前記つまみ分量だけ浮かすことができるとともに、上着Ｊの後身頃側の肩部Ｂより背中Ｃに至る表生地が前記つまみ分量だけ後身頃に余裕を生じ、肩先への引っ張りが緩和されるので、図１４，図１５の矢印で示すように表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００１４】
図４，図５では、上着の前身頃である肩の一部分Ａから後身頃である肩部Ｂより背中Ｃに至る部分にわたって縫着される芯地であって、上着を着用したとき後身頃側の肩部Ｂより背面肩甲骨が位置する付近ｂに相当する部位を、左右いずれかの方向から重ね合わせるための重ね分量を有するように裁断された芯地を用いた場合を示したが、この部位だけでなく、上着Ｊを着用したとき前身頃側の前面肩甲骨が位置する付近ａに相当する部位にも、左右いずれかの方向からそれぞれを重ね合わせるための重ね分量をそれぞれ有するようにしても、本発明の目的を達成することができる。
すなわち、この場合の芯地は、図９〜図１１に示すように、上着を着用したとき前身頃側の前面肩甲骨が位置する付近ａに相当する部位と後身頃側の肩部Ｂより背面肩甲骨が位置する付近ｂに相当する部位とを、左右いずれかの方向からそれぞれを重ね合わせるための重ね分量をそれぞれ有するように裁断してある。
【００１５】
この芯地も、上着Ｊの前身頃である肩の一部分Ａから後身頃である肩部Ｂより背中Ｃに至る部分にわたって配置することができる。そして、前記重ね分量だけ左右いずれかの方向からそれぞれを重ね合わせて縫着することができる。左右方向から芯地1L，1Rを重ね合わせた部分を、図９(b)において図面符号15'，16'で、図１０(b)において図面符号17'，18'で、図１１(b)において図面符号19'，20'で示す。そして、芯地の襟グリ側は上着Ｊの襟ミツ側に、また、芯地の袖グリ側は上着Ｊのアームホール側に縫い付けられる。
このような縫製方法を採ることにより、上着Ｊの前身頃側において前記ａ付近の表生地を前記重ね分量だけ浮かすことができるとともに、上着Ｊの後身頃側の肩部Ｂより背中Ｃに至る表生地が前記重ね分量だけ後身頃に余裕を生じ、肩先への引っ張りが緩和されるので、図１４，図１５の矢印で示すように表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００１６】
一方、本発明の上着Ｊには、この上着Ｊを着用したとき前身頃である肩の一部分Ａから後身頃である肩部Ｂより背中Ｃに至る部分にわたって縫着される芯地であって、襟グリ側は上着の襟ミツ側に、袖グリ側は上着のアームホール側にそれぞれ縫い付け得るように裁断された芯地が用いられている。そして、本発明の上着Ｊは、この芯地を上着Ｊの前身頃である肩の一部分Ａから後身頃である肩部Ｂより背中Ｃに至る部分にわたって配置し、襟グリ側は上着の襟ミツ側に、袖グリ側は上着のアームホール側にそれぞれ縫い付けてある。
この上着Ｊを着用した場合には、少なくとも上着Ｊの後身頃側の肩部Ｂより背中Ｃに至る表生地に余裕を生じ、肩先への引っ張りが緩和されるので、図１２〜図１５の矢印で示すように表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【００１７】
また、本発明の上着Ｊには、この上着Ｊを着用したとき後身頃側の肩部Ｂより背面肩甲骨が位置する付近ｂに相当する部位を、左右方向につまむためのつまみ分量を有するように裁断された芯地が、あるいは、この上着Ｊを着用したとき前身頃側の前面肩甲骨が位置する付近ａに相当する部位と後身頃側の肩部Ｂより背面肩甲骨が位置する付近ｂに相当する部位とを、左右方向にそれぞれをつまむためのつまみ分量をそれぞれ有するように裁断された芯地が用いられている。そして、上記のいずれかの芯地を上着Ｊの前身頃である肩の一部分Ａから後身頃である肩部Ｂより背中Ｃに至る部分にわたって配置し、図２(b)に示す場合には、図面符号5'で示す部分を、図３(b)に示す場合には、図面符号，6'で示す部分を、つまみ分量だけ左右方向につまんで、また、図６(b)に示す場合には、図面符号9'，10'で示す部分を、図７(b)に示す場合には、図面符号11'，12'で示す部分を、図８(b)に示す場合には、図面符号13'，14'で示す部分を、つまみ分量だけ左右方向にそれぞれをつまんで縫着されている。
このような上着Ｊを着用した場合には、後身頃側の肩部Ｂより背中Ｃに至る表生地がつまみ分量だけ後身頃に余裕を生じ、あるいは、前身頃側においてその前面肩甲骨が位置する付近ａの表生地をつまみ分量だけ浮かすことができるとともに、後身頃側の肩部Ｂより背中Ｃに至る表生地がつまみ分量だけ後身頃に余裕を生じ、いずれの場合も肩先への引っ張りが緩和されるので、図１２，図１３、あるいは、図１４，図１５の矢印で示すように表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【００１８】
また、本発明の上着Ｊには、この上着Ｊを着用したとき後身頃側の肩部Ｂより背面肩甲骨が位置する付近ｂに相当する部位を、左右いずれかの方向から重ね合わせるための重ね分量を有するように裁断された芯地が、あるいは、この上着Ｊを着用したとき前身頃側の前面肩甲骨が位置する付近ａに相当する部位と後身頃側の肩部Ｂより背面肩甲骨が位置する付近ｂに相当する部位とを、左右いずれかの方向からそれぞれを重ね合わせるための重ね分量をそれぞれ有するように裁断された芯地が用いられている。そして、上記のいずれかの芯地を上着Ｊの前身頃である肩の一部分Ａから後身頃である肩部Ｂより背中Ｃに至る部分にわたって配置し、図４(b)に示す場合には、図面符号7'で示す部分を、図５(b)に示す場合には、図面符号8'で示す部分を、重ね分量だけ左右いずれかの方向から重ね合わせ、また、図９(b)に示す場合には、図面符号15'，16'で示す部分を、図１０(b)に示す場合には、図面符号17'、18'で示す部分を、図１１(b)に示す場合には、図面符号19'，20'で示す部分を、重ね分量だけ左右方向からそれぞれを重ね合わせて縫着されている。
このような上着Ｊを着用した場合には、後身頃側の肩部Ｂより背中Ｃに至る表生地が重ね分量だけ後身頃に余裕を生じ、あるいは、前身頃側においてその前面肩甲骨が位置する付近ａの表生地を重ね分量だけ浮かすことができるとともに、後身頃側の肩部Ｂより背中Ｃに至る表生地が重ね分量だけ後身頃に余裕を生じ、いずれの場合も肩先への引っ張りが緩和されるので、図１２及び図１３、あるいは、図１４及び図１５の矢印で示すように表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【発明の効果】
【００１９】
請求項１記載の上着用作り芯地を用いた場合には、少なくとも上着Ｊの後身頃側の肩部Ｂより背中Ｃに至る表生地に余裕を生じ、あるいは、上着Ｊの前身頃側において前記ａ付近の表生地を浮かすことができることもあって、肩先への引っ張りが緩和されるので、表生地が肩の前部の方に移動せしめられることになり、着用時背中の形にぴったりとフィットし、その部分が引っ張られることのない上着とすることができるという効果がある。また、肩のラインがくびれず、綺麗になるという利点を有する。しかも、肩先のみならず、襟元、首元に至るまでの肩全体をその形にぴったり合った形状に保持・記憶できる。さらに、従来の場合のように、極めて高度な技術を必要としないので、コストの面でも極めて有利である。
【００２０】
請求項２記載の上着用作り芯地を用いた場合には、後身頃側の肩部Ｂより背中Ｃに至る表生地がつまみ分量だけ後身頃に余裕を生じ、肩先への引っ張りが緩和されるので、表生地が肩の前部の方に移動せしめられることになる。従って、着用時背中の形にぴったりとフィットし、その部分が全く引っ張られることのない上着とすることができるという効果がある。また、肩のラインがくびれず、特に綺麗になるという利点を有する。しかも、肩先のみならず、襟元、首元に至るまでの肩全体を特にその形にぴったり合った形状に保持・記憶できる。さらに、従来の場合のように、極めて高度な技術を必要としないので、コストの面でも極めて有利である。
【００２１】
請求項３記載の上着用作り芯地を用いた場合には、後身頃側の肩部Ｂより背中Ｃに至る表生地が重ね分量だけ後身頃に余裕を生じ、肩先への引っ張りが緩和されるので、表生地が肩の前部の方に移動せしめられることになる。従って、着用時背中の形にぴったりとフィットし、その部分が全く引っ張られることのない上着とすることができるという効果がある。また、肩のラインがくびれず、特に綺麗になるという利点を有する。しかも、肩先のみならず、襟元、首元に至るまでの肩全体を特にその形にぴったり合った形状に保持・記憶できる。さらに、従来の場合のように、極めて高度な技術を必要としないので、コストの面でも極めて有利である。
【００２２】
請求項４記載の上着用作り芯地を用いた場合には、上着Ｊの前身頃側においてその前面肩甲骨が位置する付近ａ付近の表生地をつまみ分量だけ浮かすことができるとともに、上着Ｊの後身頃側の肩部Ｂより背中Ｃに至る表生地がつまみ分量だけ後身頃に余裕を生じ、肩先への引っ張りが緩和されるので、表生地が肩の前部の方に移動せしめられることになる。従って、着用時背中の形にぴったりとフィットし、その部分が全く引っ張られることのない上着とすることができるという効果がある。また、肩のラインがくびれず、特に綺麗になるという利点を有する。しかも、肩先のみならず、襟元、首元に至るまでの肩全体を特にその形にぴったり合った形状に保持・記憶できる。さらに、従来の場合のように、極めて高度な技術を必要としないので、コストの面でも極めて有利である。
【００２３】
請求項５記載の上着用作り芯地を用いた場合には、上着Ｊの前身頃側においてその前面肩甲骨が位置する付近ａ付近の表生地を重ね分量だけ浮かすことができるとともに、上着Ｊの後身頃側の肩部Ｂより背中Ｃに至る表生地が重ね分量だけ後身頃に余裕を生じ、肩先への引っ張りが緩和されるので、表生地が肩の前部の方に移動せしめられることになり、着用時背中の形にぴったりとフィットし、その部分が全く引っ張られることのない上着とすることができるという効果がある。また、肩のラインがくびれず、特に綺麗になるという利点を有する。しかも、肩先のみならず、襟元、首元に至るまでの肩全体を特にその形にぴったり合った形状に保持・記憶できる。さらに、従来の場合のように、極めて高度な技術を必要としないので、コストの面でも極めて有利である。
【００２４】
請求項６記載の上着Ｊを着用した場合には、少なくとも上着Ｊの後身頃側の肩部Ｂより背中Ｃに至る表生地に余裕を生じ、あるいは、前身頃側においてその前面肩甲骨が位置する付近の表生地を浮かすことができることもあって、肩先への引っ張りが緩和されるので、表生地が肩の前部の方に移動せしめられることになる。従って、着用時背中の形にぴったりとフィットし、その部分が引っ張られることは全くないという効果がある。また、肩のラインがくびれず、綺麗である。しかも、肩先のみならず、襟元、首元に至るまでの肩全体がその形にぴったり合った形状に保持・記憶される。さらに、従来の場合のように、極めて高度な技術を必要としないので、コストの面でも極めて有利である。
【００２５】
請求項７記載の上着Ｊを着用した場合には、後身頃側の肩部Ｂより背中Ｃに至る表生地がつまみ分量だけ後身頃に余裕を生じ、あるいは、前身頃側においてその前面肩甲骨が位置する付近の表生地をつまみ分量だけ浮かすことができるとともに、後身頃側の肩部Ｂより背中Ｃに至る表生地がつまみ分量だけ後身頃に余裕を生じ、いずれの場合も肩先への引っ張りが緩和されるので、表生地が肩の前部の方に移動せしめられることになる。従って、着用時背中の形にぴったりとフィットし、その部分が引っ張られることは全くないという効果がある。また、肩のラインがくびれず、特に綺麗である。しかも、肩先のみならず、襟元、首元に至るまでの肩全体が特にその形にぴったり合った形状に保持・記憶される。さらに、従来の場合のように、極めて高度な技術を必要としないので、コストの面でも極めて有利である。
【００２６】
請求項８記載の上着Ｊを着用した場合には、後身頃側の肩部Ｂより背中Ｃに至る表生地が重ね分量だけ後身頃に余裕を生じ、あるいは、前身頃側においてその前面肩甲骨が位置する付近の表生地を重ね分量だけ浮かすことができるとともに、後身頃側の肩部Ｂより背中Ｃに至る表生地が重ね分量だけ後身頃に余裕を生じ、いずれの場合も肩先への引っ張りが緩和されるので、表生地が肩の前部の方に移動せしめられることになる。従って、着用時背中の形にぴったりとフィットし、その部分が引っ張られることは全くないという効果がある。また、肩のラインがくびれず、特に綺麗である。しかも、肩先のみならず、襟元、首元に至るまでの肩全体が特にその形にぴったり合った形状に保持・記憶される。さらに、従来の場合のように、極めて高度な技術を必要としないので、コストの面でも極めて有利である。
【発明を実施するための最良の形態】
【００２７】
本発明の好ましい実施の形態を、図１〜図１５に基いて詳細に説明する。
本発明の芯地は上着Ｊの前身頃である肩の一部分Ａから後身頃である肩部Ｂより背中Ｃに至る部分全面にわたって縫着される。上着Ｊの前身頃である肩の一部分Ａから後身頃である肩部Ｂより背中Ｃに至る部分全面にわたって、体型に合わせるようにつまんだり、切り込みを入れて重ね合わせる等の工夫をした芯地を縫着することはいまだかって無く、画期的なことである。
【００２８】
図１に、本発明の芯地の基本形態を示す。また、図２，図３、図４，図５、図６〜図８、図９〜図１１に、図１に示す芯地に本発明のマニプレーションを施した場合の具体例を示す。図１〜図１１の右側に左側用の芯地を、図１〜図１１の左側に右側用の芯地を示す。２枚の芯地1L，1Rは左右の体型が著しく変わっている場合にはその人の体型に合わせてそれぞれが裁断されるが、ここでは左右対称形とした場合を例示してある。この芯地は、上着Ｊの前身頃である肩の一部分Ａから後身頃である肩部Ｂより背中Ｃに至る部分全面にわたって左側と右側とにそれぞれ縫着されるものであるから、それに適した形にそれぞれが裁断されている。
【００２９】
図１に示す２枚の芯地1L，1Rは、芯地の襟グリ側を上着の襟ミツと上着の表生地の背中央付き合わせ部分の縁とに沿わせ得るように裁断されており、また、芯地の袖グリ側を上着のアームホールに添わせ得るように裁断されている。
そして、左側用と右側用のそれぞれの芯地1L，1Rを上着Ｊの前身頃である肩の一部分Ａから後身頃である肩部Ｂより背中Ｃに至る部分全面にわたって配置し、芯地1L，1Rの襟グリ側２，２を上着Ｊの襟ミツＤと上着Ｊの表生地の背中央付き合わせ部分ｆの縁とに沿わせて縫着することにより、少なくとも上着Ｊの後身頃側の肩部Ｂより背中Ｃに至る表生地に余裕を生じ、あるいは、上着Ｊの前身頃側において前記ａ付近の表生地を浮かすことができることもあって、肩先への引っ張りが緩和されるので、図１２，図１３の矢印で、また、図１４，図１５の矢印で示すように、表生地が肩の前部の方に移動せしめられることになる。従って、着用時背中の形にぴったりとフィットし、その部分が引っ張られることのない上着とすることができる。また、肩のラインがくびれず、綺麗になる。しかも、肩先のみならず、襟元、首元に至るまでの肩全体をその形にぴったり合った形状に保持・記憶できる。さらに、従来の場合のように、極めて高度な技術を必要としないので、コストの面でも極めて有利である。
【００３０】
図２，図３に示す２枚の芯地1L，1Rは、上着を着用したとき後身頃側の肩部Ｂより背面肩甲骨が位置する付近ｂに相当する部位を、左右方向につまむためのつまみ分量を有するように裁断されている。また、図４，図５に示す２枚の芯地1L，1Rは、上着を着用したとき後身頃側の肩部Ｂより背面肩甲骨が位置する付近ｂに相当する部位を、左右いずれかの方向から重ね合わせるための重ね分量を有するように裁断されている。
なお、本発明においては、これらの場合と実質的に同じ手法であって、上着を着用したとき後身頃側の肩部Ｂより背面肩甲骨が位置する付近ｂに相当する部位に、上着Ｊの後身頃側の肩部Ｂより背中Ｃに至る表生地が後身頃に余裕を生ぜしめることができるものであれば、それらも含まれるものとして取り扱うことができる。
【００３１】
図２，図３には、上着を着用したとき後身頃側の肩部Ｂより背面肩甲骨が位置する付近ｂに相当する部位を、左右方向につまむためのつまみ分量を有するように裁断された場合が例示されている。
すなわち、図２(a)に示す左側用と右側用のそれぞれの芯地1L，1Rは、襟グリ側２から袖グリ側３に向けて肩線４に沿って所定長さ切り込んであり、その切込線を終点として芯地1L，1Rの後側（図２において、肩線４より上側）を左右方向につまむためのつまみ分量５を有するように裁断されている。
図２(a)において、一点鎖線51は谷折線、一点鎖線52は山折線、一点鎖線53は前記谷折線51に対して山折線52と対称的な所に位置する線で、一点鎖線52で山折りした生地の稜線を一点鎖線53上に重ねることにより、図２(b)において図面符号5'で示すようにつまむことができる。そして、この場合のつまみ分量５は、図２(a)においてＧ、Ｈ、Ｉ、Ｊより内側への点線で示す量である。
【００３２】
また、図３(a)に示す左側用と右側用のそれぞれの芯地1L，1Rは、袖グリ側３から襟グリ側２に向けて肩線４に沿って所定長さ切り込んであり、その切込線を終点として芯地1L，1Rの後側（図３において、肩線４より上側）を左右方向につまむためのつまみ分量６を有するように裁断されている。
図３(a)において、一点鎖線61は谷折線、一点鎖線62は山折線、一点鎖線63は前記谷折線61に対して山折線62と対称的な所に位置する線で、一点鎖線62で山折りした生地の稜線を一点鎖線63上に重ねることにより、図３(b)において図面符号6'で示すようにつまむことができる。そして、この場合のつまみ分量６は、図３(a)においてＫ、Ｌ、Ｍより内側への点線で示す量である。
【００３３】
図２(a)、図３(a)に示す左側用と右側用のそれぞれの芯地1L，1Rをこのようにつまんで、上着Ｊの前身頃である肩の一部分Ａから後身頃である肩部Ｂより背中Ｃに至る部分全面にわたって縫着することにより、上着Ｊの後身頃側の肩部Ｂより背中Ｃに至る表生地が前記つまみ分量５，６だけ後身頃に余裕を生じ、肩先への引っ張りが緩和されるので、図１２，図１３の矢印で示すように、表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００３４】
なお、ここでは、芯地1L，1Rを左右方向につまむためのつまみ分量を作り出すための手法を２通り示したが、これらの場合のみに限定されるものではない。要するに、所定の位置において芯地1L，1Rを左右方向につまむことができるように芯地を適宜切り込むことにより、適量のつまみ分量を作り出すことができればよい。
【００３５】
図２(a)、図３(a)に示す左側用と右側用のそれぞれの芯地1L，1Rを上着Ｊの前身頃である肩の一部分Ａから後身頃である肩部Ｂより背中Ｃに至る部分にわたって配置し、図２(b)において図面符号5'で示す部分をつまみ分量５だけ、図３(b)において図面符号6'で示す部分をつまみ分量６だけ左右方向につまんで縫着することにより、図１２，図１３に示すような上着Ｊを縫製することができる。これらの芯地1L，1Rの襟グリ側２，２は上着Ｊの襟ミツＤのそれぞれの側に、また、袖グリ側３，３は上着ＪのアームホールＥのそれぞれの側に縫い付けられる。
この上着Ｊを着用した場合には、後身頃側の肩部Ｂより背中Ｃに至る表生地が前記つまみ分量５，６だけ後身頃に余裕を生じ、肩先への引っ張りが緩和されるので、図１２，図１３の矢印で示すように、表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【００３６】
一方、図４，図５には、上着を着用したとき後身頃側の肩部Ｂより背面肩甲骨が位置する付近ｂに相当する部位を、左右いずれかの方向から重ね合わせるための重ね分量を有するように裁断された場合が例示されている。
すなわち、図４(a)に示す左側用と右側用のそれぞれの芯地1L，1Rは、襟グリ側２から袖グリ側３に向けて肩線４に沿って所定長さ切り込んであり、さらに、この切込線の終点から芯地1L，1Rの後側（図４において、肩線４より上側）に向けて図４(a)において図面符号72で示すように切り込んであり、この切込線72より左側の生地の一部をそれより右側の生地の一部に左側から重ね合わせるための重ね分量７を有するように裁断されている。
図４(a)において、一点鎖線71は前記切込線72より袖グリ側３において肩線４から切込線72の終点に達するように引いた架空の線、一点鎖線73は前記一点鎖線71に対して切込線72と対称的な所に位置する架空の線で、図４(b)において図面符号7'で示すように、前記切込線72より左側の生地の一部を切込線72が架空の線73上に合致するごとく左側から重ね合わせることができる。そして、この場合の重ね分量７は、図４(a)においてＮ、Ｏ、Ｐ、Ｑより内側への点線で示す量である。
【００３７】
また、図５(a)に示す左側用と右側用のそれぞれの芯地1L，1Rは、袖グリ側３から襟グリ側２に向けて肩線４に沿って所定長さ切り込んであり、さらに、この切込線の終点より手前側の位置から芯地1L，1Rの後側（図５において、肩線４より上側）に向けて図５(a)において図面符号82で示すように切り込んであり、この切込線82より右側の生地の一部をそれより左側の生地の一部に右側から重ね合わせるための重ね分量８を有するように裁断されている。
図５(a)において、一点鎖線83は前記切込線82より襟グリ側２において肩線４上の切込線の終点から切込線82の終点に達するように引いた架空の線、一点鎖線81は切込線82と架空の線83との中線に当たる架空の線で、図５(b)において図面符号8'で示すように、前記切込線82より右側の生地の一部を切込線82が架空の線83上に合致するごとく右側から重ね合わせることができる。そして、この場合の重ね分量８は、図５(a)においてＲ、Ｓ、Ｔより内側への点線で示す量である。
【００３８】
図４(a)、図５(a)に示す左側用と右側用のそれぞれの芯地1L，1Rをこのように重ね合わせて、上着Ｊの前身頃である肩の一部分Ａから後身頃である肩部Ｂより背中Ｃに至る部分全面にわたって縫着することにより、上着Ｊの後身頃側の肩部Ｂより背中Ｃに至る表生地が前記重ね分量７，８だけ後身頃に余裕を生じ、肩先への引っ張りが緩和されるので、図１２，図１３の矢印で示すように、表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００３９】
なお、ここでは、芯地1L，1Rを左右いずれかの方向から重ね合わせるための重ね分量を作り出すための手法を２通り示したが、これらの場合のみに限定されるものではない。要するに、所定の位置において芯地1L，1Rを左右いずれかの方向から重ね合わせることができるように芯地を適宜切り込むことにより、適量の重ね分量を作り出すことができればよい。
【００４０】
図４(a)、図５(a)に示す左側用と右側用のそれぞれの芯地1L，1Rを上着Ｊの前身頃である肩の一部分Ａから後身頃である肩部Ｂより背中Ｃに至る部分にわたって配置し、図４(b)において図面符号7'で示す部分を重ね分量７だけ、図５(b)において図面符号8'で示す部分を重ね分量８だけ左右いずれかの方向から重ね合わせて縫着することにより、図１２，図１３に示すような上着Ｊを縫製することができる。これらの芯地1L，1Rの襟グリ側２，２は上着Ｊの襟ミツＤのそれぞれの側に、また、袖グリ側３は上着ＪのアームホールＥのそれぞれの側に縫い付けられる。
この上着Ｊを着用した場合には、後身頃側の肩部Ｂより背中Ｃに至る表生地が前記重ね分量７，８だけ後身頃に余裕を生じ、肩先への引っ張りが緩和されるので、図１２，図１３の矢印で示すように、表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【００４１】
図２，図３では、上着を着用したとき後身頃側の肩部Ｂより背面肩甲骨が位置する付近ｂに相当する部位を、左右方向につまむためのつまみ分量を有するように裁断された場合を例示したが、図６〜図８では、この部位だけでなく、上着Ｊを着用したとき前身頃側の前面肩甲骨が位置する付近ａに相当する部位にも、左右方向につまむためのつまみ分量を有するように裁断された場合を例示する。
【００４２】
図６(a)に示す左側用と右側用のそれぞれの芯地1L，1Rは、袖グリ側３から襟グリ側２に向けて肩線４に沿って所定長さ切り込んであり、その切込線を終点として芯地1L，1Rの前側（図６において、肩線４より下側）を左右方向につまむためのつまみ分量９を有するように裁断されている。
図６(a)において、一点鎖線91は谷折線、一点鎖線92は山折線、一点鎖線93は前記谷折線91に対して山折線92と対称的な所に位置する線で、一点鎖線92で山折りした生地の稜線を一点鎖線93上に重ねることにより、図６(b)において図面符号9'で示すようにつまむことができる。そして、この場合のつまみ分量９は、図６(a)においてｇ'、ｈ'、ｉ'より内側への点線で示す量である。
【００４３】
また、襟グリ側２から袖グリ側３に向けて肩線４に沿って所定長さ切り込んであり、その切込線を終点として芯地1L，1Rの後側（図６において、肩線４より上側）を左右方向につまむためのつまみ分量10を有するように裁断されている。
図６(a)において、一点鎖線101は谷折線、一点鎖線102は山折線、一点鎖線103は前記谷折線101に対して山折線102と対称的な所に位置する線で、一点鎖線102で山折りした生地の稜線を一点鎖線103上に重ねることにより、図６(b)において図面符号10'で示すようにつまむことができる。そして、この場合のつまみ分量10は、図６(a)においてＧ'、Ｈ'、Ｉ'、Ｊ'より内側への点線で示す量である。
【００４４】
また、図７(a)に示す左側用と右側用のそれぞれの芯地1L，1Rは、襟グリ側２から袖グリ側３に向けて肩線４の途中が所定長さ切り込んであり、その切込線を始点と終点として芯地1L，1Rの後側（図７において、肩線４より上側）を左右方向につまむためのつまみ分量12を有するように、また、芯地1L，1Rの前側（図７において、肩線４より下側）を左右方向につまむためのつまみ分量11を有するように裁断されている。
図７(a)において、一点鎖線121は谷折線、一点鎖線122は山折線、一点鎖線123は前記谷折線121に対して山折線122と対称的な所に位置する線で、一点鎖線122で山折りした生地の稜線を一点鎖線123上に重ねることにより、図７(b)において図面符号12'で示すようにつまむことができる。そして、この場合のつまみ分量12は、図７(a)においてＫ'、Ｌ'、Ｍ'、Ｎ'より内側への点線で示す量である。
【００４５】
また、図７(a)において、一点鎖線111は谷折線、一点鎖線112は山折線、一点鎖線113は前記谷折線111に対して山折線112と対称的な所に位置する線で、一点鎖線112で山折りした生地の稜線を一点鎖線113上に重ねることにより、図７(b)において図面符号11'で示すようにつまむことができる。そして、この場合のつまみ分量11は、図７(a)においてｊ'、ｋ'、ｌ'より内側への点線で示す量である。
【００４６】
一方、図８(a)に示す左側用と右側用のそれぞれの芯地1L，1Rは、袖グリ側３から襟グリ側２に向けて肩線４に沿って所定長さ切り込んであり、その切込線を終点として芯地1L，1Rの後側（図８において、肩線４より上側）を左右方向につまむためのつまみ分量14を有するように、また、前記切込線の途中において芯地1L，1Rの前側（図８において、肩線４より下側）を左右方向につまむためのつまみ分量13を有するように裁断されている。
図８(a)において、一点鎖線141は谷折線、一点鎖線142は山折線、一点鎖線143は前記谷折線141に対して山折線142と対称的な所に位置する線で、一点鎖線142で山折りした生地の稜線を一点鎖線143上に重ねることにより、図８(b)において図面符号14'で示すようにつまむことができる。そして、この場合のつまみ分量14は、図８(a)においてＯ'、Ｐ'、Ｑ'より内側への点線で示す量である。
【００４７】
また、図８(a)において、一点鎖線131は谷折線、一点鎖線132は山折線、一点鎖線133は前記谷折線131に対して山折線132と対称的な所に位置する線で、一点鎖線132で山折りした生地の稜線を一点鎖線133上に重ねることにより、図８(b)において図面符号13'で示すようにつまむことができる。そして、この場合のつまみ分量13は、図８(a)においてｍ'、ｎ'、ｏ'より内側への点線で示す量である。
【００４８】
図６(a)、図７(a)、図８(a)に示す左側用と右側用のそれぞれの芯地1L，1Rをこのようにつまんで、上着Ｊの前身頃である肩の一部分Ａから後身頃である肩部Ｂより背中Ｃに至る部分全面にわたって縫着することにより、上着Ｊの前身頃側において前記ａ付近の表生地を前記つまみ分量９，11，13だけ浮かすことができるとともに、上着Ｊの後身頃側の肩部Ｂより背中Ｃに至る表生地が前記つまみ分量10，12，14だけ後身頃に余裕を生じ、肩先への引っ張りが緩和されるので、図１４，図１５の矢印で示すように、表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００４９】
なお、ここでは、芯地1L，1Rを左右方向につまむためのつまみ分量を作り出すための手法を３通り示したが、これらの場合のみに限定されるものではない。要するに、所定の位置において芯地1L，1Rを左右方向につまむことができるように芯地を適宜切り込むことにより、つまみ分量を作り出すことができればよい。
【００５０】
図６(a)、図７(a)、図８(a)に示す左側用と右側用のそれぞれの芯地1L，1Rを上着Ｊの前身頃である肩の一部分Ａから後身頃である肩部Ｂより背中Ｃに至る部分全面にわたって配置し、図６(b)において図面符号9'，10'で示す部分をつまみ分量９，10だけ、図７(b)において図面符号11'，12'で示す部分をつまみ分量11，12だけ、あるいは、図８(b)において図面符号13'，14'で示す部分をつまみ分量13，14だけ左右方向にそれぞれつまんで縫着することにより、図１４，図１５に示すような上着Ｊを縫製することができる。これらの芯地1L，1Rの襟グリ側２，２は上着Ｊの襟ミツＤのそれぞれの側に、また、袖グリ側３は上着ＪのアームホールＥのそれぞれの側に、さらに、肩線４部分は上着Ｊの肩線Ｆのそれぞれの側に合わせていずれも縫い付けられる。
この上着Ｊを着用した場合には、前身頃側において前記ａ付近の表生地を前記つまみ分量９，11，13だけ浮かすことができるとともに、後身頃側の肩部Ｂより背中Ｃに至る表生地が前記つまみ分量10，12，14だけ後身頃に余裕を生じ、いずれの場合も肩先への引っ張りが緩和されるので、図１４，図１５の矢印で示すように、表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【００５１】
図４，図５では、上着を着用したとき後身頃側の肩部Ｂより背面肩甲骨が位置する付近ｂに相当する部位を、左右いずれかの方向から重ね合わせるための重ね分量を有するように裁断された場合を例示したが、図９〜図１１では、この部位だけでなく、上着を着用したとき前身頃側の前面肩甲骨が位置する付近ａに相当する部位にも、左右いずれかの方向から重ね合わせるための重ね分量を有するように裁断された場合を例示する。
【００５２】
図９(a)に示す左側用と右側用のそれぞれの芯地1L，1Rは、袖グリ側３から襟グリ側２に向けて肩線４に沿って所定長さ切り込んであり、その切込線の終点手前から芯地1L，1Rの前側（図９において、肩線４より下側）に向けて図９(a)において図面符号152で示すように切り込んであり、この切込線152より右側の生地の一部をそれより左側の生地の一部に右側から重ね合わせるための重ね分量15を有するように裁断されている。
図９(a)において、一点鎖線151は前記切込線152より襟グリ側２において肩線４から切込線152の終点に達するように引いた架空の線、一点鎖線153は前記一点鎖線151に対して切込線152と対称的な所に位置する架空の線で、図９(b)において図面符号15'で示すように、前記切込線152より右側の生地の一部を切込線152が架空の線153上に合致するごとく右側から重ね合わせることができる。そして、この場合の重ね分量15は、図９(a)においてｇ"、ｈ"、ｉ"より内側への点線で示す量である。
【００５３】
また、図９(a)に示す左側用と右側用のそれぞれの芯地1L，1Rは、襟グリ側２から袖グリ側３に向けて肩線４に沿って所定長さ切り込んであり、その切込線を終点として芯地1L，1Rの後側（図９において、肩線４より上側）に向けて図９(a)において図面符号162で示すように切り込んであり、この切込線162より左側の生地の一部をそれより右側の生地の一部に左側から重ね合わせるための重ね分量16を有するように裁断されている。
図９(a)において、一点鎖線161は前記切込線162より袖グリ側３において肩線４から切込線162の終点に達するように引いた架空の線、一点鎖線163は前記一点鎖線163に対して切込線162と対称的な所に位置する架空の線で、図９(b)において図面符号16'で示すように、前記切込線162より左側の生地の一部を切込線162が架空の線163上に合致するごとく左側から重ね合わせることができる。そして、この場合の重ね分量16は、図９(a)においてＧ"、Ｈ"、Ｉ"、Ｊ"より内側への点線で示す量である。
【００５４】
図１０(a)に示す左側用と右側用のそれぞれの芯地1L，1Rは、襟グリ側２から襟グリ側３に向けて肩線４の途中が所定長さ切り込んであり、その切込線を始点として芯地1L，1Rの後側（図１０において、肩線４より上側）に向けて図１０(a)において図面符号182で示すように切り込んであり、この切込線182より左側の生地の一部をそれより右側の生地の一部に左側から重ね合わせるための重ね分量18を有するように裁断されている。
図１０(a)において、一点鎖線181は前記切込線182より袖グリ側３において肩線４から切込線182の終点に達するように引いた架空の線、一点鎖線183は前記一点鎖線181に対して切込線182と対称的な所に位置する架空の線で、図１０(b)において図面符号18'で示すように、前記切込線182より左側の生地の一部を切込線182が架空の線183上に合致するごとく左側から重ね合わせることができる。そして、この場合の重ね分量18は、図１０(a)においてＫ"、Ｌ"、Ｍ"、Ｎ"より内側への点線で示す量である。
【００５５】
また、図１０(a)に示す左側用と右側用のそれぞれの芯地1L，1Rは、襟グリ側２から袖グリ側３に向けて肩線４の途中が所定長さ切り込んであり、その切込線の終点手前から芯地1L，1Rの前側（図１０において、肩線４より下側）に向けて図１０(a)において図面符号172で示すように切り込んであり、この切込線172より左側の生地の一部をそれより右側の生地の一部に左側から重ね合わせるための重ね分量17を有するように裁断されている。
図１０(a)において、一点鎖線171は前記切込線172より袖グリ側３において肩線４から切込線172の終点に達するように引いた架空の線、一点鎖線173は前記一点鎖線171に対して切込線172と対称的な所に位置する架空の線で、図１０(b)において図面符号17で示すように、前記切込線172より左側の生地の一部を切込線172が架空の線173上に合致するごとく左側から重ね合わせることができる。そして、この場合の重ね分量17は、図１０(a)においてｊ"、ｋ"、ｌ"より内側への点線で示す量である。
【００５６】
一方、図１１(a)に示す左側用と右側用のそれぞれの芯地1L，1Rは、袖グリ側３から襟グリ側２に向けて肩線４に沿って所定長さ切り込んであり、その切込線の終点手前から芯地1L，1Rの後側（図１１において、肩線４より上側）に向けて図１１(a)において図面符号202で示すように切り込んであり、この切込線202より右側の生地の一部をそれより左側の生地の一部に右側から重ね合わせるための重ね分量20を有するように裁断されている。
図１１(a)において、一点鎖線201は前記切込線202より襟グリ側２において肩線４から切込線202の終点に達するように引いた架空の線、一点鎖線203は前記一点鎖線201に対して切込線202と対称的な所に位置する架空の線で、図１１(b)において図面符号20'で示すように、前記切込線202より右側の生地の一部を切込線202が架空の線203上に合致するごとく右側から重ね合わせることができる。そして、この場合の重ね分量20は、図１１(a)においてＯ"、Ｐ"、Ｑ"より内側への点線で示す量である。
【００５７】
また、図１１(a) に示す左側用と右側用のそれぞれの芯地1L，1Rは、袖グリ側３から襟グリ側２に向けて肩線４に沿って所定長さ切り込んであり、その切込線の途中から芯地1L，1Rの前側（図１１において、肩線４より下側）に向けて図１１(a)において図面符号192で示すように切り込んであり、この切込線192より右側の生地の一部をそれより左側の生地の一部に右側から重ね合わせるための重ね分量19を有するように裁断されている。
図１１(a)において、一点鎖線191は前記切込線192より襟グリ側２において肩線４から切込線192の終点に達するように引いた架空の線、一点鎖線193は前記一点鎖線191に対して切込線192と対称的な所に位置する架空の線で、図１１(b)において図面符号19'で示すように、前記切込線192より右側の生地の一部を切込線192が架空の線193上に合致するごとく右側から重ね合わせることができる。そして、この場合の重ね分量19は、図１１(a)においてｍ"、ｎ"、ｏ"より内側への点線で示す量である。
【００５８】
図８(a)、図９(a)、図１０(a)に示す左側用と右側用のそれぞれの芯地1L，1Rをこのように重ね合わせて、上着Ｊの前身頃である肩の一部分Ａから後身頃である肩部Ｂより背中Ｃに至る部分全面にわたって縫着することにより、上着Ｊの前身頃側において前記ａ付近の表生地を前記重ね分量15，17，19だけ浮かすことができるとともに、後身頃側の肩部Ｂより背中Ｃに至る表生地が前記つまみ分量16，18，20だけ後身頃に余裕を生じ、いずれの場合も肩先への引っ張りが緩和されるので、図１４，図１５の矢印で示すように、表生地が肩の前部の方に移動せしめられることになる。従って、着用時背中の形にぴったりとフィットし、その部分が全く引っ張られることのない上着とすることができる。また、肩のラインがくびれず、特に綺麗になる。しかも、肩先のみならず、襟元、首元に至るまでの肩全体を特にその形にぴったり合った形状に保持・記憶できる。
【００５９】
なお、ここでは、芯地1L，1Rを左右いずれかの方向から重ね合わせるための重ね分量を作り出すための手法を３通り示したが、これらの場合のみに限定されるものではない。要するに、所定の位置において芯地1L，1Rを左右いずれかの方向から重ね合わせることができるように芯地を適宜切り込むことにより、重ね分量を作り出すことができればよい。
【００６０】
図９(a)、図１０(a)、図１１(a)に示すこれらの芯地1L，1Rを上着Ｊの前身頃である肩の一部分Ａから後身頃である肩部Ｂより背中Ｃに至る部分にわたって配置し、図９(b)において図面符号15'，16'で示す部分を重ね分量15，16だけ、図１０(b)において図面符号17'，18'で示す部分を重ね分量17，18だけ、あるいは、図１１(b)において図面符号19'，20'で示す部分を重ね分量19，20だけ左右方向からそれぞれを重ね合わせて縫着することにより、図１４，図１５に示すような上着Ｊを縫製することができる。これらの芯地1L，1Rの襟グリ側２，２は上着Ｊの襟ミツＤのそれぞれの側に、また、袖グリ側３は上着ＪのアームホールＥのそれぞれの側に、さらに、肩線４部分は上着Ｊの肩線Ｆのそれぞれの側に合わせていずれも縫い付けられる。
この上着Ｊを着用した場合には、前身頃側において前記ａ付近の表生地を前記重ね分量15，17，19だけ浮かすことができるとともに、後身頃側の肩部Ｂより背中Ｃに至る表生地が前記つまみ分量16，18，20だけ後身頃に余裕を生じ、いずれの場合も肩先への引っ張りが緩和されるので、図１４，図１５の矢印で示すように、表生地が肩の前部の方に移動せしめられることになる。従って、着用時背中の形にぴったりとフィットし、その部分が引っ張られることは全くない。また、肩のラインがくびれず、特に綺麗である。しかも、肩先のみならず、襟元、首元に至るまでの肩全体が特にその形にぴったり合った形状に保持・記憶される。
【００６１】
このように、本発明の上着用作り芯地を用いた場合には、少なくとも後身頃である肩背側を背中の形にぴったり合わせることができるから、あるいは、前身頃側において前記ａ付近の表生地を浮かすことができるとともに、後身頃である肩背側を背中の形にぴったり合わせることができるから、いずれの場合も、上着Ｊの前身頃の芯地には切り込み等のマニプレーションをする必要がなく、また、表生地のくせ取りも不要である。しかも、従来用いられている肩パットは、主に肩先のラインの形を保持・記憶させるに過ぎないが、本発明の上着用作り芯地を用いた場合には、肩先のみならず、襟元、首元に至るまでの肩全体がその形にぴったり合った形状に保持・記憶される。さらに、ここで用いられる芯地の襟グリ側２は上着Ｊの襟ミツＤに縫い付けられるから、襟元もしっかりするとともに、襟ミツＤが伸びるのを防止することができる。
【００６２】
図１〜図１０に示す左肩用と右肩用のそれぞれの芯地1L，1Rには、それぞれの周縁部の内側に示す細線より外側部分を縫い代としてあって、この縫い代を設けることによってサイズ調整を容易に行うことができる。
なお、ここで用いられる左肩用と右肩用のそれぞれの芯地1L，1Rは、少なくとも、上着Ｊの前身頃である肩の一部分Ａから後身頃である肩部Ｂより背中Ｃに至る部分全面にわたって縫着し得るような大きさとしてあるが、これを前身頃のボトム近くまで長く延ばしてもよいし、従来前身頃に入れられている芯地と肩の部分で重ねて使用してもよい。
また、ここで用いられる左肩用と右肩用のそれぞれの芯地1L，1Rに、フェルト芯や接着芯を重ね合わせて用いることもできる。
【図面の簡単な説明】
【００６３】
【図１】本発明による上着用作り芯地の基本形態を示す平面図で、左側用と右側用のそれぞれの芯地を展開した状態で示す。
【図２】本発明による上着用作り芯地であって、襟グリ側から袖グリ側に向けて切り込み、上着を着用したとき後身頃側の肩部より背面肩甲骨が位置する付近に相当する部位を左右方向につまむためのつまみ分量を有するように裁断された場合の一例を示す平面図で、(a)は左側用と右側用のそれぞれの芯地を展開した状態の平面図、(b)は左側用と右側用のそれぞれの芯地をつまみ分量だけつまんだ状態の平面図である。
【図３】本発明による上着用作り芯地であって、袖グリ側から襟グリ側に向けて切り込み、上着を着用したとき後身頃側の肩部より背面肩甲骨が位置する付近に相当する部位を左右方向につまむためのつまみ分量を有するように裁断された場合の一例を示す平面図で、(a)は左側用と右側用のそれぞれの芯地を展開した状態の平面図、(b)は左側用と右側用のそれぞれの芯地をつまみ分量だけつまんだ状態の平面図である。
【図４】本発明による上着用作り芯地であって、襟グリ側から袖グリ側に向けて切り込み、上着を着用したとき後身頃側の肩部より背面肩甲骨が位置する付近に相当する部位を左右いずれかの方向から重ね合わせるための重ね分量を有するように裁断された場合の一例を示す平面図で、(a)は左側用と右側用のそれぞれの芯地を展開した状態の平面図、(b)は左側用と右側用のそれぞれの芯地を重ね分量だけ重ね合わせた状態の平面図である。
【図５】本発明による上着用作り芯地であって、袖グリ側から襟グリ側に向けて切り込み、上着を着用したとき後身頃側の肩部より背面肩甲骨が位置する付近に相当する部位を左右いずれかの方向から重ね合わせるための重ね分量を有するように裁断された場合の一例を示す平面図で、(a)は左側用と右側用のそれぞれの芯地を展開した状態の平面図、(b)は左側用と右側用のそれぞれの芯地を重ね分量だけ重ね合わせた状態の平面図である。
【図６】本発明による上着用作り芯地であって、襟グリ側から袖グリ側に向けて、また、袖グリ側から襟グリ側に向けて切り込み、上着を着用したとき前身頃側の前面肩甲骨が位置する付近に相当する部位と後身頃側の肩部より背面肩甲骨が位置する付近に相当する部位とを、左右方向にそれぞれをつまむためのつまみ分量をそれぞれ有するように裁断された場合の一例を示す平面図で、(a)は左側用と右側用のそれぞれの芯地を展開した状態の平面図、(b)は左側用と右側用のそれぞれの芯地をつまみ分量だけそれぞれをつまんだ状態の平面図である。
【図７】本発明による上着用作り芯地であって、襟グリ側から袖グリ側に向けて切り込み、上着を着用したとき前身頃側の前面肩甲骨が位置する付近に相当する部位と後身頃側の肩部より背面肩甲骨が位置する付近に相当する部位とを、左右方向にそれぞれをつまむためのつまみ分量をそれぞれ有するように裁断された場合の一例を示す平面図で、(a)は左側用と右側用のそれぞれの芯地を展開した状態の平面図、(b)は左側用と右側用のそれぞれの芯地をつまみ分量だけそれぞれをつまんだ状態の平面図である。
【図８】本発明による上着用作り芯地であって、袖グリ側から襟グリ側に向けて切り込み、上着を着用したとき前身頃側の前面肩甲骨が位置する付近に相当する部位と後身頃側の肩部より背面肩甲骨が位置する付近に相当する部位とを、左右方向にそれぞれをつまむためのつまみ分量をそれぞれ有するように裁断された場合の一例を示す平面図で、(a)は左側用と右側用のそれぞれの芯地を展開した状態の平面図、(b)は左側用と右側用のそれぞれの芯地をつまみ分量だけそれぞれをつまんだ状態の平面図である。
【図９】本発明による上着用作り芯地であって、襟グリ側から袖グリ側に向けて、また、袖グリ側から襟グリ側に向けて切り込み、上着を着用したとき前身頃側の前面肩甲骨が位置する付近に相当する部位と後身頃側の肩部より背面肩甲骨が位置する付近に相当する部位とを、左右方向からそれぞれを重ね合わせるための重ね分量をそれぞれ有するように裁断された場合の一例を示す平面図で、(a)は左側用と右側用のそれぞれの芯地を展開した状態の平面図、(b)は左側用と右側用のそれぞれの芯地を重ね分量だけそれぞれを重ね合わせた状態の平面図である。
【図１０】本発明による上着用作り芯地であって、襟グリ側から袖グリ側に向けて切り込み、上着を着用したとき前身頃側の前面肩甲骨が位置する付近に相当する部位と後身頃側の肩部より背面肩甲骨が位置する付近に相当する部位とを、左右方向からそれぞれを重ね合わせるための重ね分量をそれぞれ有するように裁断された場合の一例を示す平面図で、(a)は左側用と右側用のそれぞれの芯地を展開した状態の平面図、(b)は左側用と右側用のそれぞれの芯地を重ね分量だけそれぞれを重ね合わせた状態の平面図である。
【図１１】本発明による上着用作り芯地であって、袖グリ側から襟グリ側に向けて切り込み、上着を着用したとき前身頃側の前面肩甲骨が位置する付近に相当する部位と後身頃側の肩部より背面肩甲骨が位置する付近に相当する部位とを、左右方向からそれぞれを重ね合わせるための重ね分量をそれぞれ有するように裁断された場合の一例を示す平面図で、(a)は左側用と右側用のそれぞれの芯地を展開した状態の平面図、(b)は左側用と右側用のそれぞれの芯地を重ね分量だけそれぞれを重ね合わせた状態の平面図である。
【図１２】本発明による上着用作り芯地の左側用のものと右側用のものを、上着の左半身と右半身の所定の位置にそれぞれ縫着した状態を示す概略正面図である。
【図１３】本発明による上着用作り芯地の左側用のものと右側用のものを、それぞれ所定の位置に縫着した上着の主要部を示す概略平面図である。
【図１４】本発明による上着用作り芯地の左側用のものと右側用のものを、上着の左半身と右半身の所定の位置にそれぞれ縫着した状態を示す概略正面図である。
【図１５】本発明による上着用作り芯地の左側用のものと右側用のものを、それぞれ所定の位置に縫着した上着の主要部を示す概略平面図である。
【図１６】従来の上着の欠点を示す概略平面図である。
【符号の説明】
【００６４】
1L，1R…芯地、２…襟グリ側、３…袖グリ側、４…肩線、５，６，９，10，11，12，13，14…つまみ分量、5'，6'，９'，10'，11'，12'，13'，14'…つまんだ部分、７，８，15，16，17，18，19，20…重ね分量、７'，８'，15'，16'，17'，18'，19'，20'…重ね合わせた部分、Ａ…前身頃である肩の一部分、Ｂ…後身頃である肩部、Ｃ…背中、ａ…前面肩甲骨が位置する付近、ｂ…肩部より背面肩甲骨が位置する付近、Ｄ…襟ミツ、Ｅ…アームホール、Ｆ…肩線、Ｊ…上着。
【図１】
2005002544.tif 000003
【図２】
2005002544.tif 000004
【図３】
2005002544.tif 000005
【図４】
2005002544.tif 000006
【図５】
2005002544.tif 000007
【図６】
2005002544.tif 000008
【図７】
2005002544.tif 000009
【図８】
2005002544.tif 000010
【図９】
2005002544.tif 000011
【図１０】
2005002544.tif 000012
【図１１】
2005002544.tif 000013
【図１２】
2005002544.tif 000014
【図１３】
2005002544.tif 000015
【図１４】
2005002544.tif 000016
【図１５】
2005002544.tif 000017
【図１６】
2005002544.tif 000018